(57)【要約】【課題】ＡＦ精度が向上された撮像装置を提供する。【解決手段】本発明の撮像装置１は、絞り値を変更することにより、フォーカスレンズ２３を含む結像光学系２０を通過する被写体光の光量を調整する絞り部２４と、被写体光の予定結像面１０１上に複数設けられ、一対の光電変換素子１２２，１２３からなる光電変換素子１２２，１２３の組を複数組含み、それが設けられている箇所における被写体光の合焦状態を検出可能な焦点検出部２１０と、複数設けられた焦点検出部２１０の中から特定の焦点検出部を選択する選択部１１，１６と、選択された焦点検出部２１０で検出された合焦状態に基づいて、選択された焦点検出部２１０が設けられている箇所で被写体光が合焦するようにフォーカスレンズ２３を駆動制御する合焦制御部１１，２５と、選択された焦点検出部２１０〜２２１の予定結像面１０１上の位置に応じて、絞り値に上限を設ける絞り制御部１１と、を備えることを特徴とする。【選択図】図９
2012133152.tif 000002
【特許請求の範囲】
【請求項１】
絞り値を変更することにより、フォーカスレンズを含む結像光学系を通過する被写体光の光量を調整する絞り部と、
前記被写体光の予定結像面上に複数設けられ、それぞれが、一対の光電変換素子からなる光電変換素子の組を複数組含む焦点検出部であって、該焦点検出部が設けられている箇所における前記被写体光の合焦状態を検出可能な焦点検出部と、
前記複数設けられた前記焦点検出部の中から特定の焦点検出部を選択する選択部と、
前記選択された焦点検出部で検出された合焦状態に基づいて、該選択された焦点検出部が設けられている箇所で前記被写体光が合焦するように前記フォーカスレンズを駆動制御する合焦制御部と、
前記選択された焦点検出部の前記予定結像面上の位置に応じて、前記絞り値に上限を設ける絞り制御部と、を備えること、
を特徴とする撮像装置。
【請求項２】
請求項１に記載の撮像装置であって、
前記焦点検出部は、該予定結像面上の中央部に配置されている焦点検出部と、該中央部の周辺部に配置されている焦点検出部とを含み、
前記絞り制御部は、前記選択部が、前記周辺部に配置されている焦点検出部を選出したときに、前記絞り値に上限を設けること、
を特徴とする撮像装置。
【請求項３】
請求項１または２に記載の撮像装置であって、
該撮影装置が自動露出モードのとき前記絞り制御部は、
原則的には、露出値が定まるとシャッター速度及び絞り値が定まる第１のプログラム線図に従って、シャッター速度及び絞り値を決定するが、
前記選択部が前記絞り値に上限が設けられる位置に存在する焦点検出部を選択し、前記第１のプログラム線図に従うと絞り値が前記上限以上となる露出値の場合は、該露出値において絞り値が前記上限よりも小さな値となる、前記第１のプログラム線図と異なる第２のプログラム線図に従って、シャッター速度及び絞り値を決定すること、
を特徴とする撮像装置。
【発明の詳細な説明】
【技術分野】
【０００１】
本発明は、撮像装置に関するものである。
【背景技術】
【０００２】
フォーカスレンズを含む結像光学系を通過する被写体光の光量を調整する絞り部と、被写体光の予定結像面上に複数個所に設けられた焦点検出部とを備える撮像装置が知られている。焦点検出部は、一対の光電変換素子を複数組含み、結像光学系を通る一対の焦点検出用光束が形成する一対の像のズレを検出することによって、結像光学系の焦点調節状態を検出している（たとえば、特許文献１参照）。
【先行技術文献】
【特許文献】
【０００３】
【特許文献１】特公平１−２１６３０６号公報
【発明の概要】
【発明が解決しようとする課題】
【０００４】
しかし、絞り部の絞り値（Ｆ値）が大きくなる（開口径が小さくなる）と、結像光学系の光軸から離れた位置にある焦点検出部において検出される光量が減少し、また、一対の光電変換素子が受光する光量のバランスも崩れる。このため、撮像装置におけるＡＦ（オートフォーカス）精度が落ちてくる。
【０００５】
本発明の課題は、ＡＦ精度が向上された撮像装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
なお、符号を付して説明した構成は、適宜改良してもよく、また、少なくとも一部を他の構成物に代替してもよい。
請求項１に記載の発明は、絞り値を変更することにより、フォーカスレンズ（２３）を含む結像光学系（２０）を通過する被写体光の光量を調整する絞り部（２４）と、前記被写体光の予定結像面（１０１）上に複数設けられ、それぞれが、一対の光電変換素子（１２２，１２３）からなる光電変換素子（１２２，１２３）の組を複数組含む焦点検出部（２１０〜２２１）であって、該焦点検出部（２１０〜２２１）が設けられている箇所における前記被写体光の合焦状態を検出可能な焦点検出部（２１０〜２２１）と、前記複数設けられた前記焦点検出部（２１０〜２２１）の中から特定の焦点検出部を選択する選択部（１１，１６）と、前記選択された焦点検出部（２１０〜２２１）で検出された合焦状態に基づいて、該選択された焦点検出部（２１０〜２２１）が設けられている箇所で前記被写体光が合焦するように前記フォーカスレンズ（２３）を駆動制御する合焦制御部（１１，２５）と、前記制御部（１１，２５）は、前記選択された焦点検出部（２１０〜２２１）の前記予定結像面（１０１）上の位置に応じて、前記絞り値に上限を設ける絞り制御部（１１）と、を備えること、を特徴とする撮像装置（１）である。
請求項２に記載の発明は、請求項１に記載の撮像装置（１）であって、前記焦点検出部（２１０〜２２１）は、該予定結像面（１０１）上の中央部に配置されている焦点検出部（２１１〜２１９）と、該中央部の周辺部に配置されている焦点検出部（２２０，２２１）を含み、前記絞り制御部（１１）は、前記選択部（１１，１６）が、前記周辺部に配置されている焦点検出部（２１０〜２２１）を選出したときに、前記絞り値に上限を設けること、を特徴とする撮像装置（１）である。
請求項３に記載の発明は、請求項１または２に記載の撮像装置（１）であって、該撮影装置が自動露出モードのとき前記絞り制御部（１１）は、原則的には、露出値が定まるとシャッター速度及び絞り値が定まる第１のプログラム線図（Ｘ）に従ってシャッター速度及び絞り値を決定するが、前記選択部（１１，１６）が前記絞り値に上限が設けられる位置に存在する焦点検出部（２２０，２２１）を選択し、前記第１のプログラム線図（Ｘ）に従うと絞り値が前記上限以上となる露出値の場合は、該露出値において絞り値が前記上限よりも小さな値となる、前記第１のプログラム線図（Ｘ）と異なる第２のプログラム線図（Ｙ）を用い、シャッター速度及び絞り値を決定すること、を特徴とする撮像装置（１）である。
【発明の効果】
【０００８】
本発明によれば、ＡＦ精度が向上された撮像装置を提供することができる。
【図面の簡単な説明】
【０００９】
【図１】本発明における撮像装置の一実施形態としてのカメラの概念構成図である。
【図２】撮像素子における焦点検出エリアの位置を示した状態を示す図である。
【図３】撮像素子における一つの焦点検出エリアの近傍を拡大して示す図である。
【図４】撮像画素の拡大正面図である。
【図５】撮像画素の断面図である。
【図６】焦点検出画素の拡大正面図である。
【図７】図６におけるＡ−Ａ断面に相当する焦点検出画素の断面図である。
【図８】焦点検出画素におけるマイクロレンズによってその光電変換素子を測距瞳面に投影した図である。
【図９】ボディ制御装置による焦点検出エリアに応じた絞りの開口径の規制制御のフローチャートである。
【図１０】自動露出モードにおけるプログラム線図を示し、（ａ）は通常時に適用される通常プログラム線図Ｘ、（ｂ）は、絞り値規制時に適用される絞り値規制プログラム線図Ｙである。
【発明を実施するための形態】
【００１０】
以下、図面を参照して、本発明の一実施形態を説明する。
図１は、本発明における撮像装置の一実施形態としてのレンズ交換式デジタルカメラ１の構成を示す概念図である。なお、本発明は、デジタルカメラに限定されるものではなく、たとえばフィルムカメラにも適用可能である。
【００１１】
カメラ１は、レンズ鏡筒２０とカメラボディ１０から構成され、レンズ鏡筒２０がマウント部３０を介してカメラボディ１０に装着される。カメラボディ１０にはマウント部３０を介して種々のレンズ鏡筒が装着可能である。
【００１２】
レンズ鏡筒２０は、レンズ２１、ズームレンズ２２、フォーカスレンズ２３、絞り部２４、レンズ駆動制御装置２５などを備えている。
レンズ駆動制御装置２５は、不図示のマイクロコンピューター、メモリ、駆動制御回路などから構成されている。レンズ駆動制御装置２５は、フォーカスレンズ２３の駆動、絞り部２４の絞り値（Ｆ値）の調節等を行う他、後述するボディ制御装置１１との通信によりレンズ情報の送信とカメラ情報の受信を行う。
絞り部２４は、光量およびボケ量調整のために光軸ＯＡを中心として開口径が可変な（絞り値が可変な）開口を形成する。
【００１３】
カメラボディ１０は、撮像素子１００、ボディ制御装置１１、表示部駆動回路１２、表示部１３、メモリカード１５、操作部１６などを備えている。
なお、本実施形態のカメラ１は、機械式のシャッター装置を備えていない。撮影時における撮像素子１００に対する被写体光の露光時間（撮像素子１００が被写体光を蓄積する時間）の調整は、ボディ制御装置１１が撮像素子１００を電気的に制御（電子シャッタ制御）して行う。
【００１４】
撮像素子１００は、詳しくは後述するが、レンズ鏡筒２０の予定結像面１０１上に配置され、撮像画素１１０（図３参照）が二次元状に配置されるとともに、焦点検出エリア２１０（図２参照）と対応した部分に焦点検出画素１２０（図３参照）が組み込まれている。
【００１５】
ボディ制御装置１１は、マイクロコンピューター、メモリ、駆動制御回路などから構成されている。
ボディ制御装置１１は、撮像素子１００の駆動制御と画像信号および焦点検出信号の読み出しと、焦点検出信号に基づく焦点検出演算とレンズ鏡筒２０の焦点調節を繰り返し行うとともに、画像信号の処理と記録を行う。
また、ボディ制御装置１１は、格納保持している露出制御プログラムに基づいて、シャッター速度およびレンズ鏡筒２０における絞り部２４の絞り値を設定して露出制御を行う。
さらに、ボディ制御装置１１は、電気接点３１を介してレンズ鏡筒２０のレンズ駆動制御装置２５と通信を行い、レンズ鏡筒２０とそのレンズ情報の受信とカメラ情報（デフォーカス量や絞り値など）の送信を行って、フォーカスレンズ２３の焦点調節と絞り部２４の開口径調節のための駆動を制御する。
ボディ制御装置１１が備える露出制御プログラムには、自動露出、シャッター速度優先露出、絞り優先露出等の複数の露出モードがある。さらに自動露出モードも、スポーツモード、接写モード、夜景モード、風景モード等、細分化されている。
【００１６】
表示部１３は、液晶パネルで構成され、カメラボディ１０の背面に配置されている。表示部１３は、スルー画像、撮影画像を表示可能である。
表示部駆動回路１２は、撮像素子１００によるリアルタイムの撮像画像（スルー画像）を表示部１３に表示し、撮影者はこのスルー画像を観察することができる。
また、表示部駆動回路１２は、撮影者がマニュアルフォーカスモードを選択した場合、表示部１３に、後述する焦点検出エリア２１０をスルー画像と重ねてまたは単独で表示する。
メモリカード１５は、撮像素子１００により撮像された画像を記憶する画像ストレージである。
操作部１６は、マニュアルフォーカスを行う場合に、撮影者が後述する焦点検出エリアの一つの選択操作を行うものである。
【００１７】
カメラ１は、下記のように静止画を撮影する。
レンズ鏡筒２０を通過した被写体光を、撮像素子１００の受光面上に結像する。
撮像素子１００は、レンズ鏡筒２０によって結像された被写体光を光電変換し、撮像画素１１０（図３参照）による画像信号と焦点検出画素１２０（図３参照）による焦点検出信号とを、それぞれボディ制御装置１１へ送る。
【００１８】
ボディ制御装置１１は、前述したように、使用者によって設定された露出モードに対応する露出制御プログラムに基づいて露出を設定する。ボディ制御装置１１は、この露出設定に際し、適用される焦点検出エリア２１０（図２参照）に応じて絞り部２４の開口径（絞り値）の規制制御を行うが、これについては後に詳述する。
また、ボディ制御装置１１は、焦点検出画素１２０（図３参照）からの焦点検出信号に基づいてデフォーカス量を算出し、これらの制御情報をレンズ駆動制御装置２５へ送る。
【００１９】
ボディ制御装置１１は、撮像素子１００の撮像画素１１０（図３参照）からの画像信号を処理して画像を生成し、撮像素子１００からのスルー画像信号を表示部駆動回路１２へ送ってスルー画像を表示部１３に表示させると共に、図示しないレリーズスイッチの操作による撮影指示に応じて、メモリカード１５に格納（すなわち撮影）する。
【００２０】
一方、レンズ駆動制御装置２５は、ボディ制御装置１１から受信した絞り値に応じて絞り部２４を駆動すると共に、受信したデフォーカス量に基づいてレンズ駆動量を算出してレンズ駆動量に応じてフォーカスレンズ２３を合焦位置へ駆動する。
【００２１】
撮像素子１００は後述する撮像画素と焦点検出画素とが矩形に整列されたものであり、レンズ鏡筒２０を通って集光された被写体像を撮像する。撮像素子１００により撮像された被写体像は表示部１３に表示される。
撮像素子１００には、１１の焦点検出エリアが設定されている。図２は撮像素子１００における焦点検出エリア２１０（２１１〜２２１）の位置を示した状態を示す図である。焦点検出エリア２１０（２１１〜２２１）は、表示部１３にも表示可能であり、焦点検出エリア２１０（２１１〜２２１）の位置は、図２と同様に表示部１３に表示される。
【００２２】
焦点検出エリア２１０（２１１〜２２１）は、撮像素子１００における後述する焦点検出画素１２０が焦点検出のために撮影画面上の像をサンプリングする領域である。
焦点検出エリア２１０は、撮影画面２００の中央に１箇所（焦点検出エリア２１１）、焦点検出エリア２１１の上下それぞれに１箇所ずつ（焦点検出エリア２１２，焦点検出エリア２１３）、左右それぞれに２箇所ずつ（焦点検出エリア２２０，焦点検出エリア２１５，焦点検出エリア２１８，焦点検出エリア２２１）、さらに左右の斜め上それぞれに１箇所ずつ（焦点検出エリア２１４，焦点検出エリア２１７）、左右の斜め下それぞれに１箇所ずつ（焦点検出エリア２１６，焦点検出エリア２１９）、合計１１箇所に互いに所定間隔離間して配置されている。
ここで、図２において点線Ａの内部を中央部、点線Ａの外部を周辺部という。中央部には焦点検出エリア２１１〜２１９が配置され、周辺部には焦点検出エリア２２０〜２２１が配置されている。
【００２３】
図３は、撮像素子１００における焦点検出エリア２１０のうちの、一例として焦点検出エリア２１１の近傍を拡大して示す図である。撮像素子１００は、撮像画素１１０と焦点検出画素１２０とから構成される。撮像画素１１０は二次元正方格子状に稠密に配列され、焦点検出画素１２０は、焦点検出エリア２１１と対応する部位にそれぞれ直線的に配列されている。なお、図示しないが他の焦点検出エリア２１２〜２２１も同様の構成となっている。
【００２４】
図４は、撮像画素１１０の拡大正面図である。図５は、撮像画素１１０の断面図である。撮像画素１１０は、マイクロレンズ１１１、光電変換素子１１２および図示しない色フィルターから構成される。マイクロレンズ１１１と光電変換素子１１２は、最も明るいレンズ鏡筒２０の射出瞳（たとえばＦ１．０）を通過する光束をすべて受光するように設定される。色フィルターは、図示しないが、マイクロレンズ１１１と光電変換素子１１２の中間に配置され、赤（Ｒ）、緑（Ｇ）および青（Ｂ）の３種類から成る。これらの色フィルターを備えた撮像画素１１０は、撮像素子１００上にベイヤー配列されている。
【００２５】
図６は、焦点検出画素１２０の拡大正面図である。図７は、図６におけるＡ−Ａ断面に相当する焦点検出画素１２０の断面図である。焦点検出画素１２０は、マイクロレンズ１２１と一対の光電変換素子１２２，１２３から構成される。一対の光電変換素子１２２，１２３は、それぞれ半月状であって、本実施形態では、焦点検出画素１２０の配列方向に対向して両者で円を形成するように（すなわち、円を焦点検出画素１２０の配列方向と直交する方向に２分割したような状態で）配置されている。
【００２６】
焦点検出画素１２０におけるマイクロレンズ１２１と一対の光電変換素子１２２，１２３は、最も明るいレンズ鏡筒２０の射出瞳（たとえばＦ１．０）を通過する光束をすべて受光するように設定される。なお、焦点検出画素１２０は、色フィルターは備えていない。
【００２７】
焦点検出画素１２０は、ＲＧＢのベイヤー配列に配置された撮像用画素３１１において青画素Ｂと緑画素Ｇが配置されるべき行（列）に、直線状に配置されている。この焦点検出画素１２０の直線状の配列は、焦点検出エリア２１０の長手方向に沿っている。前述したように、焦点検出画素１２０の配列方向と、一対の光電変換素子１２２，１２３の並び方向とは一致している。
【００２８】
各焦点検出画素１２０におけるマイクロレンズ１２１によって、その背後に配置された一対の光電変換素子１２２，１２３が、それぞれ予定結像面１０１の前方の測距瞳面にある測距瞳領域を通過する一対の焦点検出光束を受光するように構成されている。
【００２９】
ボディ制御装置１１は、上記のように直線状に多数配置された焦点検出画素１２０における一対の光電変換素子１２２，１２３の出力を、各測距瞳に対応した出力グループ毎にまとめて、各測距瞳を各々通過する焦点検出用光束が焦点検出画素１２０による列上に形成する一対の像の強度分布に関する情報を得、この情報に像ズレ検出演算処理（相関演算処理、位相差検出処理）を施すことによって瞳分割位相差検出方式で一対の像の像ズレ量を検出する。さらに、像ズレ量に一対の測距瞳の重心間隔に応じた変換演算を行うことによって、予定結像面に対する現在の結像面の偏差（デフォーカス量）を算出する。そして、ボディ制御装置１１は、これらの情報をレンズ駆動制御信号としてレンズ鏡筒２０におけるレンズ駆動制御装置２５へと送り、レンズ駆動制御装置２５を介してレンズ鏡筒２０のフォーカスレンズ２３を移動駆動して合焦制御を行う。
【００３０】
ここで、上記のような配列された焦点検出画素１２０によって像ズレ量を検出する構成では、画面上において光軸ＯＡから離れた位置にある焦点検出画素１２０は、絞り部２４の開口が絞り込まれるほど、一対の光電変換素子１２２，１２３が受光する光量バランスが崩れる。
【００３１】
図８は、焦点検出画素１２０におけるマイクロレンズ１２１によってその光電変換素子１２２，１２３を測距瞳面に投影した図である。図８に示すように、図中破線で示すレンズ鏡筒２０の絞り部２４の開口に対応した領域８１の中心（レンズ鏡筒２０の射出瞳の中心Ｏ）と、光電変換素子１２２，１２３と対応する測距瞳８２，８３の外接円の中心Ｏ′との位置関係は、レンズ鏡筒２０固有の射出瞳の位置と焦点検出画素１２０の光軸ＯＡからの距離に応じて変化する。そして、光軸上にある焦点検出画素１２０の場合では両者が一致するが、光軸外にある焦点検出画素１２０の場合には一致しない。レンズ鏡筒２０の射出瞳の中心Ｏと測距瞳８２，８３の外接円の中心Ｏ′とが一致しない場合には、一対の測距瞳８２、８３を通過する焦点検出用光束がアンバランスになり、結果的に形成される一対の像の光量が一致せずに歪みが生じる。このような像の光量の不一致は、絞りの絞り値（Ｆ値）が大きくなる（開口径が小さくなる）程著しい。
その結果、焦点検出画素１２０が光軸から離れて位置する周辺の焦点検出エリア２１０では、像ズレ量の検出精度が低下し、合焦精度の低下を招く。
【００３２】
そこで、ボディ制御装置１１は、合焦検出情報を得る（適用する）焦点検出エリア２１０が、像ズレ量の検出精度が低下する光軸ＯＡから離間した位置の焦点検出エリア２１０に設定されている場合には、絞り部２４の開口径の小径化を規制する。本実施形態では、適用する焦点検出エリア２１０が図２で示す点線Ａの外部である周辺部に存在する焦点検出エリア２２０，２２１に設定されている場合には、予め設定した閾値Ｆｓ（たとえばＦ５．６）以下の絞り値として露出を設定する。なお、閾値Ｆｓは、焦点検出画素１２０の検出精度および配設位置等に基づいて、所定精度以上の合焦情報が得られる値に設定する。
【００３３】
つぎに、このボディ制御装置１１による焦点検出エリア２１０に応じた絞り値規制制御を、図９に示すフローチャートに沿って説明する。
レンズ鏡筒２０によって撮像素子１００に結像された被写体像であるスルー画像が表示部１３に表示されている状態で（Ｓ０１）、スルー画像も重ねて、焦点検出エリア２１０（２１１〜２２１）を表示する。
このスルー画像表示時において、撮像素子１００に結像された被写体像の光量を測定（測光）し（Ｓ０２）、その測光結果に応じた絞り制御情報をレンズ駆動制御装置２５へと送り、レンズ鏡筒２０の絞り部２４を駆動してその開口を調整する（Ｓ０３）。
【００３４】
図示しないレリーズスイッチの半押し等によって合焦指令が行われる（Ｓ０４）と、合焦制御に適用する焦点検出エリア２１０として、周辺部の焦点検出エリア２２０，２２１が選択されているか否かを判定する（Ｓ０５）。
このステップ０５において、周辺部の焦点検出エリア２２０，２２１が選択されていると判断された場合（Ｙｅｓ）には、絞り値規制ルーチンに入る。
【００３５】
絞り値規制ルーチンでは、まず、露出モードが自動露出モードに設定されている否かを判断する（Ｓ０６）。
ステップ０６において、露出モードが自動露出モードに設定されていると判断された場合（Ｙｅｓ）には、自動露出モードにおいて参照するプログラム線図を絞り値規制に対応したもの（後述する絞り値規制プログラム線図Ｙ）に変更する（Ｓ０７）。
【００３６】
ここで、ボディ制御装置１１は、自動露出モードにおいて参照するプログラム線図として、図１０（ａ），（ｂ）に示すように２つのプログラム線図を備えている。
図１０（ａ）に示すプログラム線図Ｘは、通常時に適用される通常プログラム線図Ｘである。この通常プログラム線図Ｘは、測光結果に基づく露出ＥＶ（Ｅｘｐｏｓｕｒｅ  Ｖａｌｕｅ）に、絞り値とシャッター速度が露出範囲全域に亘って一次関数的に変化して対応し、絞り値はＦ３２まで設定され得る。
【００３７】
また、図１０（ｂ）に示すプログラム線図Ｙは、絞り値規制時に適用される絞り値規制プログラム線図Ｙである。この絞り値規制プログラム線図Ｙは、絞り値が所定の閾値Ｆｓ以下（図ではＦ５．６以下）においては絞り値とシャッター速度が一次関数的に変化してＥＶに対応するが、絞り値は閾値Ｆｓ（Ｆ５．６）を上限としてそれ以上のＥＶの増大に対してはシャッター速度の変化（高速化）のみによって対応するようになっている。つまり、絞り値規制プログラム線図Ｙでは、閾値Ｆｓを越えた絞り値（Ｆ５．６以上）は設定されない。
ステップ０７では、自動露出モードにおいて、図１０（ｂ）に示す絞り値規制プログラム線図Ｙを適用するように設定する。
【００３８】
また、ステップ０６において、露出モードが自動露出モードでないと判断された場合（Ｎｏ）には、露出制御における絞り値の上限を閾値Ｆｓに設定する（Ｓ０８）。すなわち、絞り優先モードの場合には、閾値Ｆｓを越えた絞り値の設定を不可とし、既設定の絞り値が閾値Ｆｓを越えていれば、撮影不可として警告表示を行って設定変更を促すか、または、自動的に絞り値を閾値Ｆｓに変更する。また、シャッター速度優先モードの場合には、設定されたシャッター速度では閾値Ｆｓを越えた絞り値が要求される場合には、警告表示を行って設定変更を促す。
そして、ステップ０７およびステップ０８による設定に基づいて、露出を決定する（Ｓ０９）。
【００３９】
一方、ステップ０５において、合焦制御に適用する焦点検出エリア２１０として周辺焦点検出エリア２２０，２２１が選択されていない（すなわち中央部の焦点演出エリア２１１〜２１９が選択されている）と判断された場合（Ｎｏ）には、設定された露出モードに応じて、通常プログラムで露出を決定する（Ｓ１０）。通常プログラムでは、自動露出モードにおいては図１０（ａ）に示す通常プログラム線図Ｘが適用される。また、通常プログラムでは、絞り優先モードおよびシャッター速度優先モードの場合には、絞り値の規制はない。
【００４０】
そして、ステップＳ０９またはステップＳ１０において決定された露出における絞り値の絞り制御情報をレンズ駆動制御装置２５へと送って当該絞り値にレンズ鏡筒２０の絞り部２４の開口を調節し（Ｓ１１）、設定された焦点検出エリア２１０を適用した検出情報に基づくレンズ駆動制御信号をレンズ鏡筒２０のレンズ駆動制御装置２５へ送ってフォーカスレンズ２３の合焦駆動を行う（Ｓ１２）。
その後、図示しないレリーズスイッチの全押し等によって撮影が指令されると（Ｓ１３）、静止画像の撮影（記録）を行う（Ｓ１４）。
【００４１】
以上、本実施形態によると、以下の効果を有する。
（１）本実施形態では、ボディ制御装置１１は、光軸から離間した周辺焦点検出エリア２２０，２２１が適用される場合には、絞り値（Ｆ値）が予め設定した閾値Ｆｓ以下となるように露出を制御する。これにより、周辺焦点検出エリア２２０，２２１における像ズレ量の検出精度の低下を抑えることができ、高精度の合焦が可能となってピンボケ画像の撮影を防ぐことができる。また、検出精度の低下による合焦に要する制御時間の増加を抑えることができ、迅速な合焦が可能となる。
【００４２】
（変形形態）
以上、説明した実施形態に限定されることなく、以下に示すような種々の変形や変更が可能であり、それらも本発明の範囲内である。
（１）本実施形態では、撮影画面２００の中央に配設された中央焦点演出エリア２１１〜２１９の周囲に、周辺焦点検出エリア２２０，２２１が配設され、周辺焦点検出エリア２２０，２２１が適用される場合には絞り値規制を行うように構成されている。しかし、焦点検出エリアの配設数および配置はこれに限定されるものではなく、また、絞り値規制を行う焦点検出エリアの数や位置も適宜設定可能である。
【００４３】
（２）上記実施形態は、本発明を、画像素子に配設された焦点検出画素の受光情報に基づいて瞳分割位相差検出方式で像ズレ量を検出して合焦情報とする構成に適用した例である。しかし、レンズの絞り開口による口径蝕等によって合焦情報の精度が低下する構成で有れば、合焦情報の取得構成はこのような構成に限らず、画像素子とは異なる位置に合焦情報検出素子を配置した構成であっても適用可能なものである。
【００４４】
なお、実施形態及び変形形態は、適宜組み合わせて用いることもできるが、詳細な説明は省略する。また、本発明は以上説明した実施形態によって限定されることはない。
【符号の説明】
【００４５】
１：カメラ、１０：カメラボディ、１１：ボディ制御装置、１２：表示部駆動回路、１３：表示部、２０：レンズ鏡筒、２３：フォーカスレンズ、２４：絞り、２５：レンズ駆動制御装置、１００：撮像素子、１１０：撮像画素、１２０：焦点検出画素、１２１：マイクロレンズ、１２２，１２３：光電変換部、２００：撮影画面、２１０：焦点検出エリア、２１１〜２１９：中央焦点検出エリア、２２０〜２２１：周辺焦点検出エリア、ＯＡ：光軸、Ｆｓ：閾値
【図１】
2012133152.tif 000003
【図２】
2012133152.tif 000004
【図３】
2012133152.tif 000005
【図４】
2012133152.tif 000006
【図５】
2012133152.tif 000007
【図６】
2012133152.tif 000008
【図７】
2012133152.tif 000009
【図８】
2012133152.tif 000010
【図９】
2012133152.tif 000011
【図１０】
2012133152.tif 000012